(57)【要約】ケーブルを共通化でき、またケーブルの不要な露出を防ぐことができるレンズ装置、及びそのようなレンズ装置を備える撮像装置を提供することを目的とする。本発明の実施形態に係るレンズ装置は、撮像装置本体に交換可能に装着されるレンズ装置であって、レンズ鏡筒と、鏡筒上に突出して設けられた制御ユニットと、制御ユニットに一端が装着され撮像装置本体に他端が接続されるケーブルと、ケーブルの長さ方向に複数設けられた長さ規制部材と、ケーブルが収納される収納部であって、ケーブルを引き出すための開口が設けられた収納部と、を備え、ケーブルは制御ユニットの突出方向と平行かつレンズ鏡筒の光軸と平行な面内で収納部に収納され、複数の長さ規制部材のいずれかを開口に嵌合させることでケーブルの引き出し長さが変更される。
2014050331.tif 000002
【特許請求の範囲】
【請求項１】
撮像装置本体に交換可能に装着されるレンズ装置であって、
レンズ鏡筒と、
前記鏡筒上に突出して設けられた制御ユニットと、
前記制御ユニットに一端が装着され前記撮像装置本体に他端が接続されるケーブルと、
前記ケーブルの長さ方向に複数設けられた長さ規制部材と、
前記ケーブルが収納される収納部であって、前記ケーブルを引き出すための開口が設けられた収納部と、
を備え、
前記ケーブルは前記制御ユニットの突出方向と平行かつ前記レンズ鏡筒の光軸と平行な面内で前記収納部に収納され、
前記複数の長さ規制部材のいずれかを前記開口に嵌合させることで前記ケーブルの引き出し長さが変更される、
レンズ装置。
【請求項２】
前記収納部は、前記レンズ鏡筒の直径と前記制御ユニットの大きさとの差により前記制御ユニットの周囲に生じる空間に設けられる、請求項１に記載のレンズ装置。
【請求項３】
前記複数の長さ規制部材のうち最も基端側に設けられた長さ規制部材は前記ケーブルを引っ張っても前記開口を通過せず、
前記最も基端側の長さ規制部材以外の長さ規制部材は、所定の力以上の力で前記ケーブルを引っ張ることにより弾性変形して前記開口を通過する、
請求項１又は２に記載のレンズ装置。
【請求項４】
前記最も基端側に設けられた長さ規制部材は、前記開口を通過不能なストッパが前記ケーブルの基端側に設けられており、
前記最も基端側に設けられた長さ規制部材以外の長さ規制部材は、弾性部材からなるテーパ部分であって前記ケーブルの先端側から基端側に向けて径が太くなるテーパ部分が形成されており、前記テーパ部分の最大径は前記開口の径よりも大きい、
請求項３に記載のレンズ装置。
【請求項５】
前記ケーブルが前記レンズ装置の視線方向と反対方向に引き出されるように前記開口が設けられている、請求項１から４のいずれかに記載のレンズ装置。
【請求項６】
前記ケーブルが前記制御ユニットの突出方向に引き出されるように前記開口が設けられている、請求項１から４のいずれかに記載のレンズ装置。
【請求項７】
前記収納部に装着されるカバーの縁部には切り欠きが形成されており、前記カバーを装着すると前記切り欠きが前記開口を形成する、請求項１から６のいずれかに記載のレンズ装置。
【請求項８】
前記レンズ鏡筒又は前記収納部において前記レンズ鏡筒の光軸方向に形成された、前記ケーブルのガイド部材が設けられている、請求項１から７のいずれかに記載のレンズ装置。
【請求項９】
前記制御ユニットはアイリス制御ユニットであり前記ケーブルはアイリスケーブルである、請求項１から８のいずれかに記載のレンズ装置。
【請求項１０】
請求項１から９のいずれかに記載のレンズ装置と、
前記レンズ装置が着脱可能に取り付けられる撮像装置本体と、
を備える撮像装置。
【発明の詳細な説明】
【技術分野】
【０００１】
本発明は、撮像装置に交換可能に装着されるレンズ装置及びそのようなレンズ装置が装着される撮像装置に関し、特にレンズ装置のケーブルを収納する技術に関する。
【背景技術】
【０００２】
撮像装置本体に交換可能に取り付けられるタイプのレンズ装置は、様々な種類の撮像装置本体に対応できることが好ましい。しかしながら、レンズ装置には撮像装置本体との間でフォーカス、ズーム又はアイリス等の制御用信号を送受信するためのケーブルが設けられているものがあり、このようなタイプのレンズ装置を様々な種類の撮像装置本体に取り付けようとしたとき、撮像装置本体の構成によってケーブルの接続位置が異なる場合がある。すなわち、必要なケーブルの長さが撮像装置本体の構成によって異なる場合がある。【０００３】
このような状況に対応するために、撮像装置本体の構成に合わせて長いケーブルのレンズ装置と短いケーブルのレンズ装置とを作り分けることが考えられるが、それでは各モデルに対し専用のケーブルが必要になり、コストや在庫が増加してしまう。また、長いケーブルのレンズ装置のみで短いケーブルの場合にも対応することも考えられるが、例えば監視カメラのような撮像装置ではケーブルの露出やたるみが多いといたずらで壊されるおそれがありまた体裁もよくないため、ケーブルの露出はできるだけ短くすることが好ましい。【０００４】
このような点を考慮し、例えば特許文献１ではケーブルの引き出し位置を工夫すると共に接続部分にカバーを設けるようにした監視用カメラが記載されている。また、特許文献２では、撮像装置本体側にケーブルを巻き取る機構を設け、ケーブルがたるまないようにしている。
【先行技術文献】
【特許文献】
【０００５】
【特許文献１】特開平９−２００５８６号公報
【特許文献２】特開２００８−１１２６７８号公報
【発明の概要】
【発明が解決しようとする課題】
【０００６】
しかしながら、上記特許文献１および２に記載されるような従来の技術は、撮像装置本体の構成に起因したレンズ装置のケーブルへの要求に十分に対応できるものではなかった。例えば、特許文献１に記載の技術ではケーブル長さの異なるレンズ装置を撮像装置本体の構成に合わせて複数用意しておく必要があり、またレンズ装置に長いケーブルを設けて複数の撮像装置に対応させようとするとケーブルの露出が長くなってしまう。一方、特許文献２に記載の技術では撮像装置本体側にケーブル巻き取り構造を設けているのでレンズ装置のケーブル接続部分（コネクタ）の構成に対する制約が生じ、またそのような特定の構造を有する撮像装置本体との組み合わせでなければ使用できないという問題がある。【０００７】
本発明はこのような事情に基づいてなされたもので、ケーブルを共通化でき、また、ケーブルの不要な露出を防ぐことができるレンズ装置を提供することを目的とする。更に、本発明はそのようなレンズ装置を備える撮像装置を提供することを目的とする。
【課題を解決するための手段】
【０００８】
上記目的を達成するため、本発明の第１の態様に係るレンズ装置は、撮像装置本体に交換可能に装着されるレンズ装置であって、レンズ鏡筒と、鏡筒上に突出して設けられた制御ユニットと、制御ユニットに一端が装着され撮像装置本体に他端が接続されるケーブルと、ケーブルの長さ方向に複数設けられた長さ規制部材と、ケーブルが収納される収納部であって、ケーブルを引き出すための開口が設けられた収納部と、を備え、ケーブルは制御ユニットの突出方向と平行かつレンズ鏡筒の光軸と平行な面内で収納部に収納され、複数の長さ規制部材のいずれかを開口に嵌合させることでケーブルの引き出し長さが変更される。【０００９】
第１の態様ではケーブルが収納部に収納されるので、ケーブルが収納される長さを調整することでケーブルの引き出し長さを変更することができる。したがって引き出し長さが長い場合は収納長さを少なくし逆に引き出し長さが長い場合は収納長さを多くすることで、撮像装置の構成により必要なケーブル長が異なる場合でも対応することができる。これにより複数種類分のケーブル起型をすることなくショートケーブルとロングケーブルの使い分けが可能となり、ケーブルを共通化できる。また収納長さを変更することで引き出し長さを調整できるので、ケーブルの不要な露出を防ぐことができ、良好な体裁を確保しつついたずら防止を図ることができる。【００１０】
第１の態様において収納部にケーブルを収納する形態としては、ケーブルを円形状、四角形状、又は渦巻き型等の形状に巻回して収納するようにしてもよいし、ケーブルを蛇行させあるいは折り返して収納するようにしてもよい。ここで巻回や蛇行、折り返しの長さ及び回数等は、ケーブルの引き出し長さに合わせて決めればよい。【００１１】
なお、第１の態様において「制御ユニット」には、レンズ装置に含まれるズームレンズ・フォーカスレンズ・アイリス等を制御するための制御ユニットが含まれる。それらの制御ユニットは例えば、モータやガルバノメータを含んでいてよい。また第１の態様では「長さ規制部材」をケーブルの長さ方向に複数設けておくことで、複数の引き出し長さに対応することができる。長さ規制部材の数は２つでもよいし、３つ以上でもよい。【００１２】
本発明の第２の態様に係るレンズ装置は第１の態様において、収納部は、レンズ鏡筒の直径と制御ユニットの大きさとの差により制御ユニットの周囲に生じる空間に設けられる。第２の態様では制御ユニット周囲のデッドスペースを利用して収納部を設けケーブルを巻回して収納することで、レンズ鏡筒の直径と制御ユニットの大きさとの差の分レンズ装置を小型化することができる。【００１３】
本発明の第３の態様に係るレンズ装置は第１又は第２の態様において、複数の長さ規制部材のうち最も基端側に設けられた長さ規制部材はケーブルを引っ張っても開口を通過せず、最も基端側の長さ規制部材以外の長さ規制部材は、所定の力以上の力でケーブルを引っ張ることにより弾性変形して開口を通過する。ケーブルの引き出し長さを変える場合収納部のカバーを外して巻回長さを変えるようにしてもよいが、第３の態様のようにケーブルを引っ張って引き出し長さを変えられるようにすることで、引き出し長さの調整を容易に行うことができる。また第３の態様では長さ規制部材が弾性変形して開口を通過するようにしているので、開口を通過した後は元の形状に復帰する。なお第３の態様において「所定の力」が過大あるいは過小な値にならぬように、開口及び長さ規制部材の形状や大きさ、あるいは材質を決めることが好ましい。【００１４】
本発明の第４の態様に係るレンズ装置は第３の態様において、最も基端側に設けられた長さ規制部材は、開口を通過不能なストッパがケーブルの基端側に設けられており、最も基端側に設けられた長さ規制部材以外の長さ規制部材は、弾性部材からなるテーパ部分であってケーブルの先端側から基端側に向けて径が太くなるテーパ部分が形成されており、テーパ部分の最大径は開口の径よりも大きい。第４の態様では、最も基端側の長さ規制部材以外の長さ規制部材が上記形態のテーパ部分を備えることで、通常の状態では長さ規制部材が開口を通過してケーブルの引き出し長さが変動するのを防止しつつ、第３の態様について上述した「所定の力以上の力」でケーブルを引っ張って引き出し長さを調整するのを容易に行うことができる。また、テーパ部分の最大径が開口の径よりも大きく、かつ第３の形態について上述したように長さ規制部材は弾性変形して開口を通過するので、開口通過後は元の形状に復帰し、ケーブルが逆方向（引き出し長さが短くなる方向）に引き込まれるのを防止することができる。さらに、第４の態様では最も基端側の長さ規制部材が開口を通過不能なストッパを備えることで、ケーブルの最長の引き出し長さが規定され過大な引き出しによりケーブルや制御ユニットが破損することを防止することができる。【００１５】
本発明の第５の態様に係るレンズ装置は第１から第４の態様のいずれかにおいて、ケーブルがレンズ装置の視線方向と反対方向に引き出されるように開口が設けられている。第５の態様はケーブルの引き出し方向の一態様を規定したもので、ケーブルをレンズ装置の視線方向と反対方向、即ち撮像装置本体の方向に引き出すことでケーブルの露出長さを抑制することができる。なお、この場合、撮像装置本体との干渉を考慮することが望ましい。【００１６】
本発明の第６の態様に係るレンズ装置は第１から第４の態様のいずれかにおいて、ケーブルが制御ユニットの突出方向に引き出されるように開口が設けられている。第６の態様はケーブルの引き出し方向の他の態様を規定したもので、撮像装置本体の構成（大きさや形状、ケーブルの取付位置）に応じてこのような態様を採ることで、ケーブルの露出長さを抑制することができる。【００１７】
本発明の第７の態様に係るレンズ装置は第１から第６の態様のいずれかにおいて、収納部に装着されるカバーの縁部には切り欠きが形成されており、カバーを装着すると切り欠きが開口を形成する。第７の態様のような構成を採用することにより、長さ規制部材を開口に嵌合させることによるケーブル引き出し長さの設定を容易に行うことができる。なお、上記切り欠きに対応する別の切り欠きを収納部の本体部分に設けておき、これら複数の切り欠きにより開口が形成されるようにしてもよい。【００１８】
本発明の第８の態様に係るレンズ装置は第１から第７の態様のいずれかにおいて、レンズ鏡筒又は収納部においてレンズ鏡筒の光軸方向に形成された、ケーブルのガイド部材が設けられている。第８の態様ではケーブルの巻回方向に合わせて形成されたガイド部材により、ケーブルを収納部に安定して収納することができる。【００１９】
本発明の第９の態様に係るレンズ装置は第１から第８の態様のいずれかにおいて、制御ユニットはアイリス制御ユニットでありケーブルはアイリスケーブルである。監視カメラ等の撮像装置は通常一定の方向及び距離を撮影するようになっているためズームやフォーカスは撮像装置の設置時に固定することが多いが、そのような場合でも撮影場所の明るさ及びその変化に応じてアイリスを制御するために、レンズ装置にアイリス制御ユニットを設けていることがある。第９の態様はそのようなアイリス制御ユニットを備えるレンズ装置を規定するものである。【００２０】
上記目的を達成するため、本発明の第１０の態様に係る撮像装置は、第１から９のいずれかに記載のレンズ装置と、レンズ装置が着脱可能に取り付けられる撮像装置本体と、を備える。第１０の態様に係る撮像装置では第１から第９の態様のいずれかに記載のレンズ装置を備えることで、これら態様のレンズ装置によるケーブルの共通化及び露出防止等の効果が奏される。
【発明の効果】
【００２１】
上述のように本発明に係るレンズ装置及び撮像装置によれば、ケーブルを共通化でき、またケーブルの不要な露出を防ぐことができる。
【図面の簡単な説明】
【００２２】
【図１】本発明の一の実施形態に係るレンズ装置を示す図である。
【図２】図１に示すレンズ装置において、収納部のカバーを取り付ける状態を示す図である。
【図３】図１に示すレンズ装置のアイリスケーブルを示す図である。
【図４】図１に示すレンズ装置において、ケーブルを省略した状態を示す図である。
【図５】ケーブルのスタイリング用リブを設けたレンズ鏡筒を示す図である。
【図６】ケーブルのスタイリング用リブを設けないレンズ鏡筒を示す図である。
【図７】図１に示すレンズ装置において、ケーブルを引き出した状態を示す図である。
【図８】図７に示す状態で、収納部のカバーを外した状態を示す図である。
【図９】本発明に係るレンズ装置の変形例を示す図である。
【図１０】図１に示すレンズ装置を備える監視カメラを示す図である。
【図１１】図９に示すレンズ装置を備える監視カメラを示す図である。
【発明を実施するための形態】
【００２３】
＜レンズ装置の実施形態＞
＜レンズ装置の構成＞
以下、添付図面に従って本発明に係るレンズ装置を実施するための形態について詳細に説明する。図１は本発明の実施形態に係る監視カメラ用レンズ装置１００（レンズ装置）の外観図である。図１に示すように、本実施形態に係るレンズ装置１００は、レンズ鏡筒１１０と、収納部１３０（収納部）と、収納部１３０に装着されるカバー１３４と、アイリスケーブル１４０（ケーブル、アイリスケーブル）とを備えている。レンズ装置１００は、後述するように監視カメラ本体（撮像装置本体）に交換可能に取り付けられて監視カメラ（撮像装置）を構成する。
【００２４】
レンズ鏡筒１１０はその内部に、図示せぬ撮影レンズ、ズームレンズ、フォーカスレンズ、及びアイリス等を備えており、図示せぬカム部材及びカム溝等の機構によりフォーカスレンズ及びズームレンズが光軸Ｌ１の方向に前後移動してフォーカシング・ズーミングがなされる。
【００２５】
図２はカバー１３４を外した状態を示す図である。図２に示すように、レンズ鏡筒１１０の外周には光軸Ｌ１と直交する方向Ｌ２に突出してアイリスメータ１２０（制御ユニット、アイリス制御ユニット）が備えられている。アイリスメータ１２０は不図示のアイリスを駆動するためのもので、アイリスケーブル１４０のコネクタ１４２を図示せぬ監視カメラ本体に接続することにより、監視カメラ本体から電力及び信号が供給されてアイリスメータ１２０によりアイリスが駆動される。
【００２６】
アイリスケーブル１４０は基端側がアイリスメータ１２０に接続され、先端部にはコネクタ１４２が備えられていて、コネクタ１４２が監視カメラ本体側のコネクタ（不図示）に接続される。また、図３に示すようにアイリスケーブル１４０にはケーブルブッシュ１４４，１４６（長さ規制部材）が一体的に設けられており、これらケーブルブッシュ１４４，１４６は収納部１３０に設けられた開口１３６（開口）と嵌合するようになっている。図２〜図４に示すように、アイリスメータ１２０のレンズ鏡筒１１０の光軸方向断面における大きさはレンズ鏡筒１１０の直径よりも小さく、アイリスケーブル１４０をこの大きさの差により生じるスペースに巻回することで、レンズ装置１００が小型化されている。
【００２７】
ケーブルブッシュ１４４はアイリスケーブル１４０の基端側（アイリスメータ１２０に近い側）に設けられており、ストッパ１４４Ａ（ストッパ）及びテーパ部１４４Ｂ（テーパ部分）を有する。ケーブルブッシュ１４４を開口１３６と嵌合させるとストッパ１４４Ａ及びテーパ部１４４Ｂが開口１３６を挟み、引き出し長さが長い状態でアイリスケーブル１４０を固定することができるようになっている。一方、ケーブルブッシュ１４６はアイリスケーブル１４０の中間（ケーブルブッシュ１４４とコネクタ１４２との間）に設けられていて、テーパ部１４６Ａ，１４６Ｂ（テーパ部分）を有する。ケーブルブッシュ１４４６を開口１３６と嵌合させるとテーパ部１４６Ａ，１４６Ｂが開口１３６を挟み、引き出し長さが短い状態でアイリスケーブル１４０を固定することができる。なお、図１，図２はケーブルブッシュ１４６が開口１３６と嵌合し引き出し長さが短くなっている状態を示したものである。
【００２８】
なお本発明に係るレンズ装置において、ケーブルブッシュを３つ以上設けることでアイリス引き出し長さを３段階以上に設定できるようにしてもよい。
【００２９】
収納部１３０は巻回状態のアイリスケーブル１４０を収納すると共にアイリスメータ１２０を保護するもので、レンズ鏡筒１１０に固定された板状部材１３２と、着脱可能なカバー１３４（カバー）とを備える。カバー１３４の光軸Ｌ１方向の内面は板状部材１３２と接触するようになっている。そして、図２，４，及び５に示すように、板状部材１３２の縁部及びカバー１３４の縁部には、対向する位置にそれぞれ半円形・Ｕ字型の切り欠き１３６Ａ及び１３６Ｂ（切り欠き）がそれぞれ形成されていて、カバー１３４を板状部材１３２に装着すると、切り欠き１３６Ａ，１３６Ｂにより円形の開口１３６が形成される。なお、カバー１３４の側面にはアイリスケーブル１４０の巻回径に合わせた凸部１３９が形成され、引き出し長さが短くなるように巻回した（即ち、巻回量が多く巻回部分の高さが高い場合の）アイリスケーブル１４０を安定的に収納できるようになっている。ただし、レンズ鏡筒１１０の大きさとアイリスメータ１２０の大きさとの関係、及びアイリスケーブル１４０の巻回量によってはこのような凸部１３９を設けなくてもよい。
【００３０】
図５は巻回状態のアイリスケーブル１４０を収納するための構造を示す図である。図５の（Ａ）及び（Ｂ）に示すように、本実施の形態に係るレンズ装置１００では取付部１２２の側方にリブ１３５が設けられており、このリブ１３５によりアイリスケーブル１４０の太さに対応した凹部１３３Ａ，１３３Ｂが形成される。そして、巻回したアイリスケーブルの一部がこの凹部１３３Ａ，１３３Ｂに挿入することによりアイリスケーブル１４０の位置が規制され、上述した凸部１３９と併せアイリスケーブル１４０を安定して収納することができる。このようなリブ１３５は、アイリスケーブル１４０の巻回量によって複数設けてもよい。
【００３１】
なお、図５ではリブ１３５を設ける形態について説明したが、図６の（Ａ）及び（Ｂ）に示すようにリブ１３５を設けず単一の凹部１３３Ｃを形成してアイリスケーブル１４０を収納するようにしてもよい。
【００３２】
＜ケーブル引き出し長さの調整＞
次に上記構成のレンズ装置１００におけるケーブル引き出し長さの調整の例について説明する。本例では、カバー１３４が外された状態でアイリスメータ１２０を取付部１２２及び取付穴１２４を利用してレンズ鏡筒１１０に装着し、アイリスケーブル１４０を巻回して（アイリスメータ１２０の大きさとレンズ鏡筒１１０の大きさとの差により生じるスペースに巻回する）、基端側のケーブルブッシュ１４４を板状部材１３２側の切り欠き１３６Ａに嵌合させる。この状態が図２に示す状態である。そして、図２の状態でカバー１３４を板状部材１３２に装着すると、ケーブルブッシュ１４４が切り欠き１３６Ａ，１３６Ｂにより形成される開口１３６に嵌合し、アイリスケーブル１４０の引き出し長さが短い状態で固定される。この状態が図１に示す状態である。図１では、ケーブルブッシュ１４６のテーパ部１４６Ｂがカバー１３４の外に露出し、テーパ部１４６Ａはカバー１３４の内部に収納されている。
【００３３】
監視カメラ本体の構成（コネクタ位置等）によりアイリスケーブル１４０の引き出し長さを長くしたい場合は、図１の状態からアイリスケーブル１４０を所定の力以上の力で引くと、ケーブルブッシュ１４６のテーパ部１４６Ａが弾性変形して開口１３６を通過する。アイリスケーブル１４０をさらに引き出すとケーブルブッシュ１４４のテーパ部１４４Ｂが弾性変形して開口１３６を通過するが、ストッパ１４４Ａの径は開口１３６の径よりも大きく開口１３６を通過しないので、ケーブルブッシュ１４４は全体としては開口１３６を通過しない。即ちケーブルブッシュ１４４は開口１３６に嵌合され、アイリスケーブル１４０の引き出し長さが長い状態で固定される。この状態を図７に示す。また、図７においてカバー１３４を外した状態を図８に示す。
【００３４】
このように、第１の実施形態に係るレンズ装置１００では監視カメラ本体の構成に応じてアイリスケーブル１４０の引き出し長さを調節できるので、ケーブルを共通化することができる。また、ケーブルの引き出し長さが短い場合は、収納部１３０内でのアイリスケーブル１４０の巻回量を多くして収納することで収納部１３０外へのアイリスケーブル１４０の露出を最小限に抑えることができる。
【００３５】
＜変形例＞
次に、上記実施形態の変形例について説明する。上述した実施形態ではアイリスケーブル１４０を収納部１３０の前方（図１においてＰ１方向）に引き出しているが、本発明に係るレンズ装置において引き出し方向はこれに限定されるものではなく、想定される監視カメラ本体の構成に応じて反対側の側方（図１においてＰ２，Ｐ３方向）に引き出してもよいし、後側、あるいは下側（図１においてＰ４，Ｐ５方向）に引き出すようにしてもよい。この引き出し方向は監視カメラ本体の構成を考慮し、アイリスケーブル１４０の引き出し長さ及び露出長さが短くなるように設定することが好ましく、また監視カメラ本体との干渉を考慮することが好ましい。
【００３６】
図９は本変形例に係るレンズ装置１００’を示す図である。なお以下の説明において、図１〜８と同じ構成の要素には共通の符号を付し、その説明を省略する。本変形例に係るレンズ装置１００’の構成は、開口が収納部１３０’（カバー１３４’）の後方に設けられアイリスケーブル１４０が後方に引き出されていること以外は上述したレンズ装置１００と同様である。このため、レンズ装置１００’においてもレンズ装置１００と同様に、図９に示す状態（アイリスケーブル１４０が収納部１３０’内で巻回され引き出し長さが短い状態）からアイリスケーブル１４０を引っ張ることで巻回量を調整し引き出し長さを長くすることが可能であり、これによりケーブルの共通化及びアイリスケーブル１４０の露出抑制が可能である。なお、図９では引き出したアイリスケーブル１４０をクランク状にし、コネクタ１４２を監視カメラ本体の側面に接続できるようにしているが、アイリスケーブル１４０のクランク形状を変更しコネクタ１４２を監視カメラ本体の底部に接続するようにしてもよい。
【００３７】
＜撮像装置の実施形態＞
次に、本発明に係る撮像装置を実施するための形態について説明する。図１０は本発明の実施形態に係るレンズ装置を備える監視カメラ２００（撮像装置）を示す図である。監視カメラ２００は本発明の実施形態に係るレンズ装置１００と監視カメラ本体２０２（撮像装置本体）とを含んでおり、監視カメラ本体２０２は図示せぬ撮像素子（ＣＣＤ，ＣＭＯＳ等）、画像処理回路、記録媒体等を備え画像の取得・記録等が可能になっている。図１０の（Ａ）はアイリスケーブル１４０の引き出し長さが短くコネクタ１４２が監視カメラ本体２０２の前方に接続された場合であり、レンズ装置１００が図１に示す状態の場合に相当する。また図１０の（Ｂ）はアイリスケーブル１４０の引き出し長さが長くコネクタ１４２が監視カメラ本体２０２の後方に接続された場合であり、レンズ装置１００が図７に示す状態の場合に相当する。
【００３８】
また、図１１はレンズ装置として図９のレンズ装置１００’を備える監視カメラ２００’を示す図であり、この場合も監視カメラ２００と同様に監視カメラ本体２０２の構成に応じてアイリスケーブル１４０の引き出し長さを変更し、コネクタ１４２の取付位置を変更することができる。
【００３９】
上述したレンズ装置１００と同様に監視カメラ２００，２００’においても、アイリスケーブル１４０の巻回長さを変更することで監視カメラ本体２０２の構成（コネクタ位置）に合わせて引き出し長さを調整することができ、ケーブルの共通化及び不要な露出の抑制が可能となる。
【００４０】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００４１】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００４２】
１００，１００’・・・レンズ装置、１１０・・・レンズ鏡筒、１２０・・・アイリスメータ、１３０，１３０’・・・収納部、１３２・・・板状部材、１３３Ａ，１３３Ｂ，１３３Ｃ・・・凹部、１３４，１３４’・・・カバー、１３５・・・リブ、１３６・・・開口、１３９・・・凸部、１４０・・・アイリスケーブル、１４２・・・コネクタ、１４４，１４６・・・ケーブルブッシュ、１４４Ａ・・・ストッパ、１４４Ｂ，１４６Ａ，１４６Ｂ・・・テーパ部、２００，２００’・・・監視カメラ、２０２，２０２’・・・監視カメラ本体
【図１】
2014050331.tif 000003
【図２】
2014050331.tif 000004
【図３】
2014050331.tif 000005
【図４】
2014050331.tif 000006
【図５】
2014050331.tif 000007
【図６】
2014050331.tif 000008
【図７】
2014050331.tif 000009
【図８】
2014050331.tif 000010
【図９】
2014050331.tif 000011
【図１０】
2014050331.tif 000012
【図１１】
2014050331.tif 000013
【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
撮像装置本体に交換可能に装着されるレンズ装置であって、
レンズ鏡筒と、
前記レンズ鏡筒上に突出して設けられた制御ユニットと、
前記制御ユニットに一端が装着され前記撮像装置本体に他端が接続されるケーブルと、
前記ケーブルの長さ方向に複数設けられた長さ規制部材と、
前記ケーブルが収納される収納部であって、前記ケーブルを引き出すための開口が設けられた収納部と、
を備え、
前記ケーブルは前記制御ユニットの突出方向と平行かつ前記レンズ鏡筒の光軸と平行な面内で前記収納部に収納され、
前記複数の長さ規制部材のいずれかを前記開口に嵌合させることで前記ケーブルの引き出し長さが変更される、
レンズ装置。
【請求項２】
前記収納部は、前記レンズ鏡筒の直径と前記制御ユニットの大きさとの差により前記制御ユニットの周囲に生じる空間に設けられる、請求項１に記載のレンズ装置。
【請求項３】
前記複数の長さ規制部材のうち最も基端側に設けられた長さ規制部材は前記ケーブルを引っ張っても前記開口を通過せず、
前記最も基端側の長さ規制部材以外の長さ規制部材は、所定の力以上の力で前記ケーブルを引っ張ることにより弾性変形して前記開口を通過する、
請求項１又は２に記載のレンズ装置。
【請求項４】
前記最も基端側に設けられた長さ規制部材は、前記開口を通過不能なストッパが前記ケーブルの基端側に設けられており、
前記最も基端側に設けられた長さ規制部材以外の長さ規制部材は、弾性部材からなるテーパ部分であって前記ケーブルの先端側から基端側に向けて径が太くなるテーパ部分が形成されており、前記テーパ部分の最大径は前記開口の径よりも大きい、
請求項３に記載のレンズ装置。
【請求項５】
前記ケーブルが前記レンズ装置の視線方向と反対方向に引き出されるように前記開口が設けられている、請求項１から４のいずれか１項に記載のレンズ装置。
【請求項６】
前記ケーブルが前記制御ユニットの突出方向に引き出されるように前記開口が設けられている、請求項１から４のいずれか１項に記載のレンズ装置。
【請求項７】
前記収納部に装着されるカバーの縁部には切り欠きが形成されており、前記カバーを装着すると前記切り欠きが前記開口を形成する、請求項１から６のいずれか１項に記載のレンズ装置。
【請求項８】
前記レンズ鏡筒又は前記収納部において前記レンズ鏡筒の光軸方向に形成された、前記ケーブルのガイド部材が設けられている、請求項１から７のいずれか１項に記載のレンズ装置。
【請求項９】
前記制御ユニットはアイリス制御ユニットであり前記ケーブルはアイリスケーブルである、請求項１から８のいずれか１項に記載のレンズ装置。
【請求項１０】
請求項１から９のいずれか１項に記載のレンズ装置と、
前記レンズ装置が着脱可能に取り付けられる撮像装置本体と、
を備える撮像装置。
【国際調査報告】
2014050331.tif 000014
2014050331.tif 000015
2014050331.tif 000016
2014050331.tif 000017